(57)【要約】【課題】再生信号特性が良く互換性が高くなるように、情報記録媒体に情報を記録する情報記録方法及び情報記録装置を提供する。【解決手段】基準クロック周期Ｔの整数倍の時間幅を有する複数の符号から構成される情報に応じて、記録光をパルス状に変調し、前記情報を情報記録媒体に記録する。前記情報記録媒体から、記録した情報を再生し、２Ｔ符号の再生信号中心レベルと３Ｔ符号の再生信号中心レベルの差を用いて第１アシンメトリを算出し、前記２Ｔ符号の再生信号中心レベルと最疎符号の再生信号中心レベルとの差を用いて第２アシンメトリを算出し、前記３Ｔ符号の再生信号中心レベルと前記最疎符号の再生信号中心レベルとの差を用いて第３アシンメトリを算出する（ＳＴ００３、ＳＴ００４）。前記第１〜第３アシンメトリがそれぞれ１５％以下となるように、前記記録光のパルス形状を変化させる（ＳＴ０１０）。【選択図】図８
2005251391.tif 000002
【特許請求の範囲】
【請求項１】
情報の記録、再生が可能な情報記録媒体に情報を記録する情報記録方法であって、
基準クロック周期Ｔの整数倍の時間幅を有する複数の符号から構成される情報に応じて、記録光をパルス状に変調し、前記情報を情報記録媒体に記録するステップと、
前記情報記録媒体から、記録した情報を再生するステップと、
２Ｔ符号の再生信号中心レベルと３Ｔ符号の再生信号中心レベルの差を用いて第１アシンメトリを算出するステップと、
前記２Ｔ符号の再生信号中心レベルと最疎符号の再生信号中心レベルとの差を用いて第２アシンメトリを算出するステップと、
前記３Ｔ符号の再生信号中心レベルと前記最疎符号の再生信号中心レベルとの差を用いて第３アシンメトリを算出するステップと、
前記第１〜第３アシンメトリがそれぞれ１５％以下となるように、前記記録光のパルス形状を変化させるステップと、
を有することを特徴とする情報記録方法。
【請求項２】
情報の記録、再生が可能な情報記録媒体に情報を記録する情報記録装置であって、
基準クロック周期Ｔの整数倍の時間幅を有する複数の符号から構成される情報に応じて、記録光をパルス状に変調し、前記情報を情報記録媒体に記録する手段と、
前記情報記録媒体から、記録した情報を再生する手段と、
２Ｔ符号の再生信号中心レベルと３Ｔ符号の再生信号中心レベルの差を用いて第１アシンメトリを算出する手段と、
前記２Ｔ符号の再生信号中心レベルと最疎符号の再生信号中心レベルとの差を用いて第２アシンメトリを算出する手段と、
前記３Ｔ符号の再生信号中心レベルと前記最疎符号の再生信号中心レベルとの差を用いて第３アシンメトリを算出する手段と、
前記第１〜第３アシンメトリがそれぞれ１５％以下となるように、前記記録光のパルス形状を変化させる手段と、
を具備することを特徴とする情報記録装置。
【発明の詳細な説明】
【技術分野】
【０００１】
本発明は情報を記録再生できる光ディスク等の情報記録媒体、該情報記録媒体の再生信号を評価する方法、該情報記録媒体に対して情報を記録する情報記録方法及び情報記録再生装置に関する。
【背景技術】
【０００２】
従来、追記又は書き換え型の情報記録媒体として熱記録型の媒体がある。これは、情報記媒体を加熱冷却することで、情報を記録するものである。この代表的なものとして相変化媒体が知られている。これは媒体の相の違い、すなわちアモルファスと結晶の違いによる物理的性質の差、例えば反射率差等を利用して情報を記録するものである。例えば、相変化媒体を利用した光ディスク装置では、あらかじめ、初期化によって媒体を全面に渡り結晶化しておき、そこに強度の強いレーザー光をパルス状に照射することでアモルファスの記録マークを形成する。
【０００３】
これは強いレーザー光により媒体が溶融し、その後レーザー光の照射が弱まることで媒体が急冷し、アモルファス化するためである。一方、情報の再生は媒体に一定レベルの弱いレーザー光を照射し、記録マークであるアモルファス部と結晶部による反射率変化を電気信号に変換して読み出している。
【０００４】
最近実用化された相変化媒体を用いた光ディスクとしてＤＶＤ−ＲＡＭ（ＩＳＯ／ＩＥＣ１６８２４）がある。このＤＶＤ−ＲＡＭでは照射するレーザー光の出力レベルを切り替えることで情報の記録、消去を行っている。情報は複数の記録マークとして光ディスクの記録トラック上に記録され、各記録マークは複数のレーザーパルスを記録トラックに照射することにより形成される。このレーザーパルスの記録波形は一般にライトストラテジと呼ばれるものである。ライトストラテジは、光ディスクにマークを記録するときのレーザー変調方法あるいは記録波形を示し、記録マークの長さごとに定義されている。
【０００５】
ＤＶＤ−ＲＡＭのライトストラテジでは光出力として３段階もしくは４段階のレベルが設けられている。すなわち、媒体を溶融温度以上に加熱し、溶融するためのピークパワーと、媒体を結晶化保持時間だけ結晶化温度に保持するためのバイアスパワー１（消去パワー）、溶融した媒体を急冷してアモルファス化するためのバイアスパワー２及びバイアスパワー３である。ＤＶＤ−ＲＡＭではこれらの光出力レベルを調整することにより、記録するマークの大きさや、形を精度良く調整している。
【０００６】
又ＤＶＤ−ＲＡＭの場合、ライトストラテジで定義される光出力レベルはマークやスペースの幅に寄らず一定である。従って、短いスペースに囲まれた記録マークでは、長いスペースに囲まれたマークと異なり、直前、直後のマークを記録するための熱量が伝わり、その熱量により記録マークが再結晶化したり、溶融部分が拡大するといった熱干渉の問題がある。ＤＶＤ−ＲＡＭでは、この問題に対して前後のスペース幅によってパルスの幅を広げたり、狭くしたりして調整することで、変化分を補正し、所望のマーク形状を得ている。
【０００７】
一方、記録した信号の評価方法のひとつとして、ＤＶＤ−ＲＡＭではアシンメトリが定義されている。ＤＶＤ−ＲＡＭで定義されているアシンメトリは記録したデータの最密パターンの再生波形中心レベルと、最疎パターンの再生波形中心レベルとのずれを評価するものである。
【０００８】
上述のように、ＤＶＤ−ＲＡＭでは、ライトストラテジを調整することにより、熱干渉による記録マーク領域の変化に対処している。この際の調整の手順、方法として例えば特開２０００−３６１１５の方法がある。この公報では、実際のユーザーデータを記録する前にテストパターンを記録し、ライトストラテジ（パルス幅）の調整を行っている。この際、テストパターンには使用する変調方式の最密パターン及び最疎パターンが用いられており、これらの再生信号の中心レベルの差を０にするようにパルス幅の調整を行っている。
【発明の開示】
【発明が解決しようとする課題】
【０００９】
上述のように、ＤＶＤ−ＲＡＭでは再生信号の評価指標として、最密パターンの中心レベルと最疎パターンの中心レベルとの差をアシンメトリとして定義している。このアシンメトリを規格値以下にすることで、情報再生信号のエンベロープに対する最密信号の振幅方向のバランスを保ち、情報記録媒体の再生特性、互換性を高めていた。しかしながら、情報の記録が高密度化した場合には、熱干渉の影響が高まり、最密パターンのみでなく、それ以外のパターンであっても振幅方向のバランスが大きく崩れる場合がある。このような場合には情報の再生が難しくなり、情報記録媒体の互換性も失われる。
【００１０】
更に、ＤＶＤ−ＲＡＭではアシンメトリが定義されているものの、このアシンメトリを最適化するためのライトストラテジ調整手順が明らかになっていないという問題がある。
【００１１】
又、ライトストラテジ決定のための指標として、最密パターンを含むランダムデータのジッタを利用しているが、情報の記録が高密度化し、再生信号処理方式としてＰＲＭＬのようなスライス方式とは異なる識別方式が用いられた場合には、最密パターンを含む信号のジッタの測定が困難になる。従って、このジッタを指標としたライトストラテジの決定が行えないという問題がある。
【００１２】
又、特開２０００−３６１１５ではアシンメトリを利用したライトストラテジの調整方法として、最密及び最疎符号の組み合わせパターンのテストデータを記録し、該再生信号の中心レベルが揃う様にライトストラテジ、特にパルスの幅を調整する方法が開示されている。しかしながらこの方法においても、上述の高密度化にともなう熱干渉の問題には対処できていない。又、補正の方法も一律にパルス幅を補正するのみであるが、熱干渉の大きい高密度記録においては、この補正のみでは記録マークを精度良く形成しながら、更にアシンメトリを調整するのが難しいという問題がある。
【００１３】
本発明は、再生信号特性が良く互換性が高くなるように、情報記録媒体に情報を記録する情報記録方法及び情報記録装置を提供することを目的とする。
【課題を解決するための手段】
【００１４】
上記目的を達成するために本発明の１実施例に係る情報記録方法は、情報の記録、再生が可能な情報記録媒体に情報を記録する情報記録方法であって、基準クロック周期Ｔの整数倍の時間幅を有する複数の符号から構成される情報に応じて、記録光をパルス状に変調し、前記情報を情報記録媒体に記録するステップと、前記情報記録媒体から、記録した情報を再生するステップと、２Ｔ符号の再生信号中心レベルと３Ｔ符号の再生信号中心レベルの差を用いて第１アシンメトリを算出するステップと、前記２Ｔ符号の再生信号中心レベルと最疎符号の再生信号中心レベルとの差を用いて第２アシンメトリを算出するステップと、前記３Ｔ符号の再生信号中心レベルと前記最疎符号の再生信号中心レベルとの差を用いて第３アシンメトリを算出するステップと、前記第１〜第３アシンメトリがそれぞれ１５％以下となるように、前記記録光のパルス形状を変化させるステップとを有する。
【発明の効果】
【００１５】
以上説明したように本発明によれば、情報記録媒体の再生信号品質を明確に評価する方法、再生特性が良く互換性の高い情報記録媒体、該記録媒体に情報を記録する情報記録再生装置、及び情報記録方法が提供される。
【発明を実施するための最良の形態】
【００１６】
図面を参照しながら本発明の実施の形態について詳細に説明する。以下に示す説明はこの発明の実施の形態であって、この発明の方法及び装置を限定するものではない。
【００１７】
図１に本実施例の情報記録装置におけるレーザー光の記録波形と情報が記録されたトラックの模式図を示す。記録波形は、大きく記録部分００１と消去部分００２に分けられる。ここで、記録媒体が相変化媒体であるとすると、記録膜が複数の加熱パルスによって、加熱、急冷され、記録トラック上にアモルファスの記録マーク００４が形成される。理想的には記録マーク００４の前端位置は加熱パルスの立ち上がり位置により比例して決まる。同様に、記録マーク００４の後端位置は加熱パルスの立下り位置により比例して決まる。
【００１８】
従って、記録したマークの前端位置を後ろに動かすためには加熱パルスの立ち上がり位置を後ろにずらせばよいことになる。又、記録部分００１では複数の加熱パルスが照射されているが、各パルスの幅を変えることによって、記録マーク００４の横幅などマークの形状をコントロールすることが可能となる。消去部分００２では記録光は一定のレベルに保たれる。これによって、記録媒体は結晶化温度に保持され、結晶化する。この結晶化した記録マーク００４と記録マーク００４の間の部分００３はスペースと呼ばれる。
【００１９】
図２に記録波形と記録する信号の対応関係であるライトストラテジの実施例を示す。基準クロックの周期をＴとすると、図２（ａ）は２Ｔマーク、図２（ｂ）は９Ｔマークを記録すための記録波形である。消去部分００２では記録光のパワーはＢｐ１に保たれる。記録部分００１では、記録光のパワーはＰｐまで上昇し、その後冷却のために消去パワーＢｐ２もしくは消去パワーＢｐ３に降下する。又、記録部分００１では各パルスはその機能から先頭パルス００５、中間パルス００６、最終パルス００７に区分される。それぞれのパルスの幅はＮＲＺＩ信号の立ち上がり、もしくは基準クロックの立ち上がり位置に対する以下に示す遅延時間Ｔｓｆｐ、Ｔｅｆｐ、Ｔｓｍｐ、Ｔｅｍｐ、Ｔｓｌｐ、Ｔｅｌｐ、Ｔｌｃの各変数によって定義される。中間パルスの個数は記録する符号の長さによって決まる。
【００２０】
Ｔｓｆｐ：ＮＲＺＩ信号の立ち上がりに対する先頭パルス開始時間、
Ｔｅｆｐ：ＮＲＺＩ信号の立ち上がりに対する先頭パルス終了時間、
Ｔｓｍｐ：基準クロックに対する中間パルス開始時間、
Ｔｅｍｐ：中間パルスの各パルス幅、
Ｔｓｌｐ：基準クロックに対する最終パルス開始時間、
Ｔｅｌｐ：基準クロックに対する終端パルス終了時間、
Ｔｌｃ：最終パルスの後、消去パワーＢｐ２が供給される時間
次に、再生信号の評価方法について説明を行う。
【００２１】
図３に上述のライトストラテジを利用して記録したユーザーデータ（ランダムデータ）の再生信号波形すなわちアイパターンを示す。ここで、データの変調に用いられた最も短い符号（マーク又はスペース）は２Ｔ、最も長い符号は１３Ｔであるとする。アイパターンにおいて最も振幅の小さい信号が２Ｔマーク及び２Ｔスペースの再生信号である。以下、２Ｔマークと２Ｔスペースの連続信号を２Ｔパターンと表現する。更に、この２Ｔパターンの再生信号の最も高いレベルをＩ２Ｈ、最も低いレベルをＩ２Ｌと定義する。次に大きい振幅の信号は３Ｔマークと３Ｔスペースの再生信号である。この３Ｔパターンの再生信号に対しても２Ｔパターンと同様にＩ３Ｈ、Ｉ３Ｌを定義する。又、３Ｔパターンの振幅をＩ３と定義する。一方、最も振幅の大きい信号は１３Ｔマークと１３Ｔスペースの再生信号である。この１３Ｔパターンの再生信号に対しても２Ｔパターンと同様にＩ１３Ｈ、Ｉ１３Ｌを定義する。又、１３Ｔパターンの振幅をＩ１３と定義する。
【００２２】
ここで、本実施例における再生信号の評価指標である二つのアシンメトリの定義について説明を行う。一つ目のアシンメトリであるアシンメトリ１：ＡＳ２Ｔ１３Ｔはランダムデータ全体のエンベロープに対する２Ｔパターンのアシンメトリで、以下のように定義する。
【００２３】
ＡＳ２Ｔ１３Ｔ  ＝  ｛（Ｉ１３Ｈ＋Ｉ１３Ｌ）／２  −（Ｉ２Ｈ＋Ｉ２Ｌ）／２｝｝／Ｉ１３  ×  １００  ％                    ・・・（１）
二つ目のアシンメトリであるアシンメトリ２：ＡＳ２Ｔ３Ｔは、特に識別を誤りやすいと考えられる３Ｔパターンと２Ｔパターンのアシンメトリで、以下のように定義する。
【００２４】
ＡＳ２Ｔ３Ｔ  ＝  ｛（Ｉ３Ｈ＋Ｉ３Ｌ）／２  −（Ｉ２Ｈ＋Ｉ２Ｌ）／２｝｝／Ｉ３  ×  １００  ％                              ・・・（２）
ここで、（Ｉ１３Ｈ＋Ｉ１３Ｌ）／２はＩ１３の中心レベル、（Ｉ３Ｈ＋Ｉ３Ｌ）／２はＩ３の中心レベル、（Ｉ２Ｈ＋Ｉ２Ｌ）／２はＩ２の中心レベルである。
【００２５】
更に、三つ目のアシンメトリであるアシンメトリ３：ＡＳ３Ｔ１３Ｔは、１３Ｔパターンのエンベロープに対する３Ｔパターンのアシンメトリで、以下のように定義する。
【００２６】
ＡＳ３Ｔ１３Ｔ  ＝  ｛（Ｉ１３Ｈ＋Ｉ１３Ｌ）／２  −（Ｉ３Ｈ＋Ｉ３Ｌ）／２｝｝／Ｉ１３  ×  １００  ％                      ・・・（３）
式（１）で定義されたアシンメトリは、従来から用いられていたものである。これに対し、本実施例では式（２）及び式（３）のアシンメトリを新たに定義している。式（２）で定義されたアシンメトリ２は、変調法則で使用される符号の中で、特に識別誤りを起こしやすい最短符合とその次の長さの符号、ここでは２Ｔ符号と３Ｔ符号の信号レベルのずれを評価するのに用いることが出来る。ここで変調法則とは、情報を光ディスクに記録する場合に、該情報を図２に示すようなＴの整数倍で例えば２Ｔ以上の信号幅を有する信号に変調するときに適用される法則である。例えば従来のＤＶＤ−ＲＯＭでは変調法則として８−１６変調が用いられている。
【００２７】
アシンメトリ２が０に近いということは、２Ｔ符号と３Ｔ符号の再生信号が振幅方向に理想的な関係にあることを意味している。従って、このアシンメトリ２が０に近ければ、高密度に記録された光ディスクにおいて、識別誤りが低くなる。特に、ＰＲＭＬ(partial response maximum likelihood)識別方式のような振幅方向の複数の識別用閾値を利用した識別方式を用いる光ディスクにおいてはその効果が高い。更に、このアシンメトリ２が０に近い信号が記録された媒体は信号が理想状態に近いため、互換性の高い媒体となる。
【００２８】
式（３）で定義されたアシンメトリ３は変調法則で使用される符号の中で最も長い符号と、最も短い符号の次に長い符号、ここでは１３Ｔ符号と３Ｔ符号の信号レベルのズレを評価するのに用いることが出来る。高密度な記録を行う光ディスクにおいては、最密の符号である２Ｔ符号の信号は非常に振幅が小さく、測定が難しい場合がある。これに対し３Ｔ符号は、１３Ｔ符号に比べて信号の振幅は十分小さく、２Ｔ符号の信号に比べれると振幅が大きい。従って、このアシンメトリ３を信号の評価に用いれば、従来のアシンメトリの定義であるアシンメトリ１とほぼ同じ効果を、比較的簡単に得ることが出来る。尚、アシンメトリ１，２，３の測定に用いる最疎符号は１３Ｔ符号に限らず、８Ｔ以上の符号を用いることができる。
【００２９】
続いて上述のように定義したアシンメトリと再生信号のエラーレートとの関係を表す測定の結果について説明を行う。
【００３０】
測定に用いる光ディスク装置の一実施例を図４に示す。光ピックアップ４６はＣＰＵ４２の制御の下、サーボ回路４９及びアクチュエータドライバ４７により、データ再生用の弱いレーザ発光パワーでフォーカシング及びトラッキングを行い、光ディスク４０の記録トラック上に光ビームスポットを発生する。
【００３１】
本光ディスク装置は信号処理回路５２の信号処理にＰＲＭＬ識別方式を用いている。又評価指標測定回路４８では、アシンメトリ１、アシンメトリ２、アシンメトリ３に加え、以下で説明する２次高調波、消去比、Ｃ／Ｎ(carrier / noise)、変調度、エラーレート、推定エラーレート、Ｓ１、Ｓ２、Ｓ３等を測定することが可能である。又、ＣＰＵ４２では測定された評価指標の値から、以下に述べるライトストラテジ決定手順に従って、ライトストラテジを決定し、記録波形生成回路４１を設定する機能を有する。又、テストデータ記憶装置４３には、後述の図１４、図１５、図１７（ａ）図１９（ａ）に示されるようなテストデータを記憶させておくことが可能である。このテストデータはＣＵＰ４２によって切替器４５がテストデータ記憶装置４３側に切り替えられると、記録波形生成回路４１に入力される。記録波形生成回路４１は、設定されたライトストラテジに対応する波形の記録信号を出力する。この記録信号はＬＤドライバ４４により増幅され、光ピックアップ４６内に設けられたレーザダイオード（図示されず）を駆動し、その結果、光ディスクにマークが記録される。切替器４５は通常、ユーザーインターフェース５３に繋がっており、入力されたユーザーデータが光ディスクに記録される。
【００３２】
図５に消去パワーＢｐ１を変化させた場合のアシンメトリ１、アシンメトリ２と再生信号のエラーレート（ｂＥＲ）測定結果を示す。このとき、ライトストラテジにおける消去パワーＢｐ１以外の変数はすべて固定している。従って、消去パワーＢｐ１を変化させることは記録パワーＰｐと消去パワーＢｐ１の比であるＰｐ／Ｂｐ比を変化させることに等しい。測定の結果から消去パワーＢｐ１を上昇させていくとアシンメトリ１及びアシンメトリ２がプラス方向に変化していくのが分かる。又、再生信号のエラーレートはＢｐ１＝２．４ｍＷで最良になっていることが分かる。このときのアシンメトリに着目するとアシンメトリ２はほぼ０となっているのに対し、アシンメトリ１は３％程度になっている。従って、アシンメトリ２の方がアシンメトリ１に比べより再生信号のエラーレートに対して敏感な評価指標であるといえる。
【００３３】
更に、図６に時間Ｔｓｆｐを変化させた場合のアシンメトリ１、アシンメトリ２と再生信号のエラーレート測定結果を示す。このとき、ライトストラテジにおけるＴｓｆｐ以外の変数はすべて固定している。従って、時間Ｔｓｆｐを増加させることは先頭パルスの幅を短くしていくことに等しい。測定の結果から、時間Ｔｓｆｐを増加させると、アシンメトリがマイナス方向に変化していくのが分かる。又、再生信号のエラーレートは時間Ｔｓｆｐ＝１．１５［Ｔ］で最良になっていることが分かる。このときのアシンメトリに着目するとアシンメトリ２はほぼ０となっているのに対し、アシンメトリ１は８％程度になっている。従って、この結果からもアシンメトリ２の方がアシンメトリ１に比べより再生信号のエラーレートに対して敏感な評価指標であるといえる。
【００３４】
更に、時間Ｔｅｌｐ、Ｔｌｃに対しても同様の実験を行ったところ、これらの結果からもアシンメトリ２の方がアシンメトリ１に比べより記録再生信号のエラーレートに対して敏感な評価指標であるという結論が得られた。
【００３５】
これらの結果から、再生信号のエラーレートを規定値以下に押さえ、情報記録媒体の互換性を保つためには、アシンメトリはアシンメトリの規格値（％）に関して以下の条件が必要であるといえる。
【００３６】
−規格値Ａ＜アシンメトリ１＜規格値Ｂ            ・・・（４）
−規格値Ｃ＜アシンメトリ２＜規格値Ｄ            ・・・（５）
｛規格値Ｂ−（−規格値Ａ）｝≧｛規格値Ｄ−（−規格値Ｃ）｝
・・・（６）
すなわち、この条件を満たす情報記録媒体であれば、高い互換性を実現できるといえる。更に、実験的な経験から規格値ＡおよびＢを５〜１５％、規格値ＣおよびＤを３〜１５％とすると互換性の高い信号が記録できることが分かっている。
【００３７】
次に、記録再生信号のもう１つの評価指標である２次高調波について説明を行う。２次高調波はｎＴマークｎＴスペース（ｎは整数）のようなピュアトーンの信号であるｎＴパターンを記録再生したときに、キャリア周波数の２倍の周波数に出現する信号成分である。この２次高調波が大きいことは、記録した信号が非対称な歪みをもっていたり、デューティーがずれていたりすることを示している。
【００３８】
続いて、この２次高調波と記録再生信号のエラーレートとの関係を表す実験の結果について説明を行う。図７に時間Ｔｅｍｐを変化させた場合の２次高調波と記録再生信号のエラーレートの測定の結果を示す。時間Ｔｅｍｐが０．４［Ｔ］の時に記録再生信号のエラーレートは最も小さくなっている。このとき、２次高調波も最小となっており、２次高調波が記録再生信号の評価指標として適当であることが分かる。
【００３９】
以上のような実験結果に着目したライトストラテジ決定方法について説明を行う。図８に本発明の第一の実施例に係るライトストラテジ決定方法のフローチャートを示す。
【００４０】
第一のステップ（ＳＴ００１）では記録パワーＰｐ、消去パワーＢｐ１、Ｂｐ２、Ｂｐ３、時間Ｔｓｆｐ、Ｔｅｆｐ、Ｔｓｍｐ、Ｔｅｍｐ、Ｔｓｌｐ、Ｔｅｌｐ、Ｔｌｃのすべてのパラメータに初期値（Ｐｐ０、Ｂｐ１０、Ｂｐ２０、Ｂｐ３０、Ｔｓｆｐ０、Ｔｅｆｐ０、Ｔｓｍｐ０、Ｔｅｍｐ０、Ｔｓｌｐ０、Ｔｅｌｐ０、Ｔｌｃ０）が設定される。更に、消去パワーＢｐ２１、Ｂｐ３１の値もしくはＢｐ２１、Ｂｐ３１の関係式、時間Ｔｅｆｐ１、Ｔｓｌｐ１もしくはその関係式が決定される。
【００４１】
第二ステップ（ＳＴ００２）では消去パワーＢｐ１１の値が決定される。この値は消去比及び、信号の変調度を指標に、両者のマージンが十分確保できるように決定される。ここで変調度とは、媒体上のマークにより構成される情報の再生信号の振幅を、ミラー面を反射した場合に得られる信号強度等、基準となる値によって規格化した値である。又、これと同様の効果を上げる指標として最密符号を含まないパターンを記録再生した場合のジッタ値を用いても良い。
【００４２】
第三のステップ（ＳＴ００３）では記録パワーＰｐ１の値が決定される。この値は信号のアシンメトリを指標として、アシンメトリの値が規格値以下になるように決定される。又、これと同様の効果を上げる指標として信号のエラーレートもしくは、出願人の先願（特願Ｐ２００２−６９１３８）で提案した推定ｂＥＲを利用してもよい。
【００４３】
第四のステップ（ＳＴ００４）では時間Ｔｓｆｐ１、Ｔｅｌｐ１、Ｔｌｃ１が決定される。この値は信号のアシンメトリを指標として、アシンメトリの値が規格値以下になるように決定される。
【００４４】
第五のステップ（ＳＴ００５）では時間Ｔｅｍｐ１が決定される。この値は信号の２次高調波を指標として、２次高調波が十分小さくなるように決定される。又、これと同様の効果を上げる指標として信号のエラーレートもしくは、出願人の先願（特願Ｐ２００２−６９１３８）で提案した推定ｂＥＲ、もしくは５Ｔ以上の符号のピュアトーン信号のアシンメトリを利用してもよい。
【００４５】
第六のステップ（ＳＴ００６）では記録する信号のパターンに適応的に対応した時間Ｔｓｆｐ、Ｔｅｌｐの補償テーブルが決定される。
【００４６】
第七のステップ（ＳＴ００７）では消去パワーＢｐ１２の値が決定される。この値は信号のエラーレートもしくは、推定ｂＥＲを指標として決定される。
【００４７】
第八のステップ（ＳＴ００８）では記録パワーＰｐ２の値が決定される。この値は信号のエラーレートもしくは、推定ｂＥＲを指標として決定される。
【００４８】
第九のステップ（ＳＴ００９）では再び記録する信号のパターンに適応的に対応した時間Ｔｓｆｐ、Ｔｅｌｐの補償テーブルが更新される。
【００４９】
第十のステップでは最終評価指標による再生信号の評価が行われる。ここで、評価結果が規定値以下であれば、この時点の設定値を最終的なライトストラテジとする。又、評価結果が規定値を超えてしまっていれば、ステップをさかのぼって、ライトストラテジの設定を再開する。最終評価指標としては、信号のエラーレートもしくは、推定ｂＥＲが利用される。
【００５０】
続いて、各ステップにおける詳細なライトストラテジ決定方法について説明を行う。
【００５１】
第一のステップ（ＳＴ００１）における各変数の初期値には、媒体の製作者等が熱解析結果等の媒体特性に基づいてあらかじめ指定した値、装置の製作者等が装置の記録再生特性に基づいてあらかじめ指定した値、評価者が過去の経験に基づいて媒体の特性に合わせて指定した値などが用いられる。これらの初期値情報、媒体情報等は例えば図２６に示す光ディスクのリードインエリア等に物理フォーマット情報として記録されており、これを再生することによって得られる。
【００５２】
更にこのステップでは、次のステップに進むための消去パワーＢｐ２、Ｂｐ３の値であるＢｐ２１、Ｂｐ３１、もしくは関係式が初期値に基づいて決定される。決定の方法は２通りある。ひとつは、消去パワーＢｐ２、Ｂｐ３を以降のステップにおいて初期値で固定する方法である。この場合、これ以降のステップでは消去パワーＢｐ２、Ｂｐ３は初期値から変更されない。もうひとつの方法は、初期値として与えられる消去パワーＢｐ１０、Ｂｐ２０、Ｂｐ３０から、Ｂｐ１０／Ｂｐ２０比、Ｂｐ１０／Ｂｐ３０比を算出して、これ以降のステップではこの比を固定する方法である。この場合、以降のステップで消去パワーＢｐ１が変化した場合には消去パワーＢｐ２、Ｂｐ３もこれに合わせて変更される。これら二つの方法は媒体の特性等によって選択的に使用される。
【００５３】
同様に、時間Ｔｅｆｐ１、Ｔｓｍｐ１、Ｔｓｌｐ１の値、もしくはＴｅｆｐ１、Ｔｓｆｐ１の関係式が決定される。決定の方法は次の２通りである。一つ目の方法は、すべての値を初期値で固定する方法である。もうひとつの方法は先頭パルスの幅（Ｔｅｆｐ０−Ｔｓｆｐ０）及び、最終パルスの幅（Ｔｅｌｐ０−Ｔｓｌｐ０）を初期値から算出し、以降のステップではこの幅を固定する方法である。この場合、時間Ｔｓｆｐ１、Ｔｅｌｐ１の変更に伴って、Ｔｅｆｐ１、Ｔｓｌｐ１もそれぞれ変更される。これらの二つの方法は媒体の特性等によって選択的に使用される。
【００５４】
第二のステップ（ＳＴ００２）ではオーバーライト時の消去特性のパワーマージンが最も大きく取ることができ、更に信号の変調度を十分に確保できるように消去パワーＢｐ１が決定される。消去パワーＢｐ１以外の値は第一のステップで決定された値が用いられる。
【００５５】
ここで、消去特性の評価指標として消去比を次のように定義する。ｎＴパターンの信号にｍＴパターンをオーバーライトした場合の、オーバーライト前のｎＴパターンの振幅からオーバーライト後の振幅への低下の割合をｎＴオーバーライト（Ｏ．Ｗ．）ｍＴ消去比と定義する。第二のステップにおける消去パワーＢｐ１の決定方法を以下に記述する。
【００５６】
図９に第一の消去パワーＢｐ１１決定方法のフローチャートを示す。ステップＳＴ１０１では消去パワーＢｐ１の初期値Ｂｐ１０から消去パワーＢｐ１ａが以下の式によって決定される。
【００５７】
Ｂｐ１ａ＝（Ｂｐ１０−Ａ／２）  ＋  ｎ×（Ａ／Ｎ）  ・・・（７）
ここで、Ａ：Ｂｐ１の評価範囲、ｎ：繰り返しステップ数、Ｎ：最大繰り返しステップ数
ステップＳＴ１０２ではｎＴパターンを１０回、同一トラックにオーバーライトする。ステップＳＴ１０３では記録、再生されたｎＴパターンの振幅情報をスペクトルアナライザ等によって測定し、値を記憶する。ステップＳＴ１０４ではステップ１０２と同一のトラックにｍＴパターンを１回オーバーライトする。ステップＳＴ１０５では上記トラックに記録された情報を再生し、再生されたｎＴパターンの振幅情報をスペクトルアナライザ等によって測定し、値を記憶する。ステップＳＴ１０６ではステップＳＴ１０３とステップＳＴ１０５で記憶された二つの振幅情報の比からｎＴＯ．Ｗ．ｍＴ消去比を算出し、記憶する。ｎ≦Ｎであれば（ステップＳＴ１０７でＹｅｓの場合）、フローはステップＳＴ１０１に戻り、消去パワーＢｐ１ａをＡ／Ｎだけ増加し、ステップＳＴ１０２〜ステップＳＴ１０７を再び実行する。このようにして、ステップＳＴ１０１からステップＳＴ１０６までをｎ＝Ｎになるまで、消去パワーＢｐ１ａをＡ／Ｎづつ増加させながら繰り返す。
【００５８】
このとき算出、記憶されたｎＴＯ．Ｗ．ｍＴ消去比をプロットすると図１０のような曲線となる。ここで、消去特性の評価は低いパワーから順に行われている。ステップＳＴ１０８ではこの曲線から、あらかじめ定められたｎＴＯ．Ｗ．ｍＴ消去比の規格閾値との交点である２つのパワーｍＴＢｐ１ＨとｍＴＢｐ１Ｌを判断する。更に、以下の式を用いて消去パワーＢｐ１１を決定し、これを消去パワーＢｐ１の値として決定する。
【００５９】
Ｂｐ１１＝（ｍＴＢｐ１Ｈ＋ｍＴＢｐ１Ｌ）／２    ・・・（８）
ここで、ｍは変調法則に用いられる最密符号、ｎは変調法則に用いられる符号のうちｎ≠ｍ×２×ｋ（ｋ：自然数）を満たす最も長い符号とする。
【００６０】
又第二の消去パワーＢｐ１１決定方法として図１１に示すように、上述のｎＴＯ．Ｗ．ｍＴ消去比に加え、同様の方法を用いてｎＴＯ．Ｗ．（ｍ＋１）Ｔ消去比を測定し、消去パワーＢｐ１１を決定しても良い。
【００６１】
Ｂｐ１１＝（（ｍ＋１）ＴＢｐ１Ｈ＋ｍＴＢｐ１Ｌ）／２  ・・・（９）
第三の消去パワーＢｐ１１決定方法として消去比とともに信号の変調度を評価する方法がある。この決定方法においても第一の決定方法と同様に、消去特性のパワーマージンを測定する。更に、同様の順序で消去パワーＢｐ１ａを変化させながらｎＴパターンのオーバーライトを１０回行い、信号の変調度、もしくはＣ／Ｎを測定する。測定の結果を図１２に示す。ここで、図１０もしくは図１１で算出された消去特性と図１２の結果から、変調度の低下が飽和部分から１ｄＢ以内の範囲で最も消去率の高くとれる消去パワーＢｐ１ａを消去パワーＢｐ１１の値として決定する。
【００６２】
又、この他の方法として、評価指標にｎＴＯ．Ｗ．ｍＴ消去比以外にジッタ、ｂＥＲを用いる方法もある。
【００６３】
第四の消去パワーＢｐ１１決定方法としては、第一の決定方法と同様の順序で、消去パワーＢｐ１ａを変化させつつ、ｋＴパターンと、（ｍ＋１）Ｔパターンのピュアトーンジッタの測定を行い、最もジッタのマージンが広くなるように消去パワーＢｐ１を決定し、これを消去パワーＢｐ１１の値として決定処理完了とする。ここで、ｋは変調法則に用いられる最疎符号であるとする。
【００６４】
第三のステップ（ＳＴ００３）では再生信号のアシンメトリが規格値以下になるように記録パワーＰｐが決定される。本ステップでも、第二のステップと同様、記録パワーＰｐを低いパワーから高いパワーに順に変化させつつ、テストデータの記録と評価指標の測定を行う。ここで、消去パワーＢｐ１，Ｂｐ２，Ｂｐ３の値は第二のステップで決定された値が用いられる。パルス幅は第一のステップで決定した値が用いられる。
【００６５】
第三のステップにおけるアシンメトリの評価指標としては上述で定義したアシンメトリ１、及びアシンメトリ２、アシンメトリ３を利用することが出来る。又、第四のステップで再び詳細なアシンメトリの補正が行われるので、本ステップでは例えば全体のバランスを整えるアシンメトリ１もしくはアシンメトリ３のみを補正する様にしてもよい。
【００６６】
この場合、アシンメトリの測定は、例えばランダムデータの記録を行い、この再生信号波形のＡ／Ｄ変換結果及び復号の結果から、図３に示したＩ１３Ｈ、Ｉ１３Ｌ、Ｉ２Ｈ、Ｉ２Ｌの値を検出し、上述の式（１）で計算を行うことで可能となる。
【００６７】
アシンメトリを直接測定することが困難な場合は図１３に示す方法を用いることができる。図１３に示された信号は信号の中心が自動的にスライスレベルＳＬになるようにデューティーフィードバックをかけた信号である。この信号のＨｉｇｈレベルＡ１と、ｌｏｗレベルＡ２を測定し、以下の値Ｓ１を得る。
【００６８】
Ｓ１＝｛（Ａ１−ＳＬ）＋（Ａ２−ＳＬ）｝／（Ａ１−Ａ２）
・・・（１０）
この値を０にするように補正することで、アシンメトリ１を０にするのとほぼ同様の効果を得ることが可能となる。又、この方法はスライスレベルＳＬが０の場合、すなわちＤＣカットされた信号に対しても適応することが出来る。このとき記録するテストデータとしては、ユーザーデータと同様なランダムデータを用いても良いし、例えば、図１４に示すようなアシンメトリを測定する２種類のパターン、ｈＴとｋＴを組み合わせたデータでも良い。ここで、ｈは最密符号であり、ｋは最疎符号である。
【００６９】
又図１５に示すようなｈＴパターン及び、ｋＴパターンをそれぞれテストデータとして独立に記録、再生し、ｈＴパターン及びｋＴパターンの中心電圧をそれぞれ測定した後、この差ΔＶを評価指標をして用い、これを０にするように補正しても、アシンメトリ１を０にするのとほぼ同様の効果が得られる。
【００７０】
図１６（ａ）に第三のステップで得られる記録パワーＰｐの設定値と評価指標（アシンメトリ１，Ｓ，ΔＶ）の変化の状態を示す。図１６（ａ）から規格値の上限及び下限と測定値の交点の記録パワーＰｐの値ＰｐＨとＰｐＬを算出し、以下の式に従って、記録パワーＰｐを決定する。
【００７１】
Ｐｐ＝（ＰｐＨ＋ＰｐＬ）／２                     ・・・（１１）
又、図１６（ｂ）のようにアシンメトリ１の絶対値をとった値を評価指標としてプロットしても同様の結果が得られる。
【００７２】
又、式（１１）を利用せず規格値を満たした時点でその値を記録パワーＰｐとして決定しても良い。
【００７３】
第四のステップ（ＳＴ００４）では再生信号のシンメトリを更に細かく補正するように、時間Ｔｓｆｐ１、Ｔｅｌｐ１、Ｔｌｃ１が決定される。本ステップでは、例えば時間Ｔｓｆｐの値を大きな値から順に小さな値に変化させつつ、テストデータの記録と評価指標の測定を行う。ここで、記録パワーＰｐの値は第三のステップで、消去パワーＢｐ１，Ｂｐ２，Ｂｐ３の値は第二のステップで決定された値が用いられる。パルス幅は第一のステップで決定した値が用いられる。
【００７４】
第四のステップにおけるアシンメトリの評価指標としては上述で定義したアシンメトリ１、及びアシンメトリ２を利用することが出来る。又、本ステップでは詳細なアシンメトリの補正を行うことが可能なであり、大まかな補正を第三のステップで完了しているので、ここでは例えば評価指標として感度の高いアシンメトリ２のみを補正するようにしてもよい。
【００７５】
この場合、アシンメトリの測定は、例えば再生信号波形のＡ／Ｄ変換結果及び、復号の結果から、Ｉ３Ｈ、Ｉ３Ｌ、Ｉ２Ｈ、Ｉ２Ｌの値を検出し、上述の式（２）で計算を行うことで可能となる。
【００７６】
一方、このようにアシンメトリを直接測定することが困難な場合は図１７に示す方法を用いることができる。この場合、テストデータとして図１７（ａ）に示すようなｑＴと（ｑ＋１）Ｔのマークとスペースがランダムに出現するパターンを利用する。ただし、ｑは最密符号であるとする。更に、図１７（ｂ）に示される信号は図１７（ａ）の信号を記録して、再生した際の再生信号を中心がスライスレベルＳＬになるようにデューティーフィードバックをかけた信号である。この信号のＨｉｇｈレベルＢ１と、ｌｏｗレベルＢ２を測定し、以下の値Ｓ２を得る。
【００７７】
Ｓ２＝｛（Ｂ１−ＳＬ）＋（Ｂ２−ＳＬ）｝／（Ｂ１−Ｂ２）
・・・（１２）
この値を０にするように補正することで、アシンメトリ２を０にするのとほぼ同様の効果を得ることが可能となる。又、この方法はスライスレベルが０の場合、すなわちＤＣカットされた信号に対しても適応することが出来る。
【００７８】
又ｑＴパターン及び、（ｑ＋１）Ｔパターンをそれぞれテストデータとして独立に記録、再生し、ｑＴパターン及び（ｑ＋１）Ｔパターンの中心電圧をそれぞれ測定した後、この差ΔＶを評価指標をして用い、これを０にするように補正しても、アシンメトリ２を０にするのとほぼ同様の効果が得られる。
【００７９】
図１８（ａ）に第四のステップで得られる時間Ｔｓｆｐ、Ｔｅｌｐ、Ｔｌｃの設定値と評価指標（アシンメトリ２，Ｓ２，ΔＶ）の変化の状態を示す。図１８（ａ）から例えば規格値の上限及び下限と測定値の交点の時間Ｔｓｆｐの値ＴｓｆｐＨとＴｓｆｐＬを算出し、以下の式に従って、時間Ｔｓｆｐを決定する。
【００８０】
Ｔｓｆｐ１  ＝（  Ｔｓｆｐ  Ｈ＋Ｔｓｆｐ  Ｌ）／２
・・・（１３）
又、式（１３）を利用せず規格値を満たした時点で  その値を記録パワーＰｐとして決定しても良い。
【００８１】
この他の評価指標として、信号のエラーレートもしくは、推定ｂＥＲを利用してもよい。この場合もアシンメトリと同様に時間Ｔｓｆｐを大きい値から順に小さい値へ変化させつつ信号の評価を行うと図１８に示すようなグラフが得られる。ここで、評価指標に関する規格閾値との交点の値をＴｓｆｐＨとＴｓｆｐＬとする。Ｔｓｆｐ１は式（１３）によって決定される。
【００８２】
時間Ｔｅｌｐ，Ｔｌｃも同様な方法で決定される。
【００８３】
第五のステップ（ＳＴ００５）では長いマークの再生波形の歪みが小さくなるように時間Ｔｅｍｐ１が決定される。第五のステップでは時間Ｔｅｍｐを小さい値から大きい値に変化させつつテストデータの試し書きと評価指標の測定を行う。ここで、記録パワーＰｐの値は第三のステップで、消去パワーＢｐ１，Ｂｐ２，Ｂｐ３の値は第二のステップで決定された値が用いられる。時間Ｔｅｆｐ，Ｔｓｍｐ，Ｔｓｌｐは第一のステップ、時間Ｔｓｆｐ，Ｔｅｌｐ，Ｔｌｃは第四のステップで決定した値が用いられる。
【００８４】
第五のステップにおける評価指標としては上記の２次高調波を利用することが出来る。テストデータにはｓＴパターンを利用する。ここで、ｓは最疎符号、もしくは比較的長い符号、例えば５Ｔ以上の符号である。
【００８５】
２次高調波を直接測定することが困難な場合は、図１９に示す様にｓＴパターンを記録再生し以下の式に従ってＳ３を評価すれば良い。
【００８６】
Ｓ３＝｛（Ｃ１−ＳＬ）＋（Ｃ２−ＳＬ）｝／（Ｃ１−Ｃ２）
・・・（１４）
この値を０にするように補正することで、２次高調波を低減することとほぼ同様の効果を得ることが可能となる。
【００８７】
図２０に第五のステップで得られる時間Ｔｅｍｐ１の設定値と評価指標の変化の状態を示す。ここで、図２０（ａ）はＳ３を評価指標とした場合、図２０（ｂ）は２次高調波を評価指標とした場合である。図２０（ａ）及び（ｂ）から評価指標の上限及び下限もしくは閾値と測定値の交点の時間Ｔｅｍｐの値ＴｅｍｐＬとＴｅｍｐＨを算出し、以下の式に従って、Ｔｅｍｐを決定する。
【００８８】
Ｔｅｍｐ１  ＝（  ＴｅｍｐＨ＋ＴｅｍｐＬ）／２      ・・・（１５）
又、式（１５）を利用せず規格値を満たした時点でその値をＴｅｍｐ１として決定しても良い。
【００８９】
信号のエラーレートもしくは、推定ｂＥＲを利用してもよい。この場合も同様に時間Ｔｅｍｐを小さい値から順に大きい値へ変化させつつ信号の評価を行うと図２０（ａ）に示すようなグラフが得られる。
【００９０】
第六のステップ（ＳＴ００６）では補償テーブルが決定される。本ステップでは再生信号の非線形性、即ち理想波形との差分を取り除くように、連続するスペースやマーク符号の組み合わせ、あるいはマーク及びスペースの配列に応じて時間Ｔｓｆｐ、Ｔｅｌｐが適応的に設定される。図２１に示すテーブルは、直前のスペース、もしくは直後のスペースに対応して記録するマークの時間Ｔｓｆｐ、Ｔｅｌｐの値を設定するためのものであり、補償テーブルと呼ばれる。
【００９１】
第七のステップ（ＳＴ００７）ではランダム信号を記録し、最終評価指標である再生信号のエラーレートもしくはそれと相関の高い評価指標、例えば推定ｂＥＲを用いてＢｐ１の微調整を行う。Ｂｐ１の値を変化させながら、ランダム信号を１０回オーバーライトを行い、そのつど評価指標の評価を行う。又、Ｂｐ１の値は小さいほうから順番に上昇させていく。図２２に測定の結果を示す。図２２の曲線から、規格閾値との交点となるＢｐ１２Ｌ，Ｂｐ１２Ｈを決定し、下記の式からＢｐ１２を決定する。
【００９２】
Ｂｐ１２  ＝（Ｂｐ１２Ｈ＋Ｂｐ１２Ｌ）／２        ・・・（１６）
第八のステップ（ＳＴ００８）ではランダム信号を記録し、最終評価指標である再生信号のエラーレートもしくはそれと相関の高い評価指標、例えば推定ｂＥＲを用いて記録パワーＰｐの微調整を行う。記録パワーＰｐの値を変化させながら、ランダム信号を１０回オーバーライトを行い、そのつど評価指標の評価を行う。又、記録パワーＰｐの値は小さいほうから順番に上昇させていく。図２３に測定の結果を示す。図２３の曲線から、規格閾値との交点となるＰｐ２Ｌを決定し、下記の式からＰｂ２を決定する。
【００９３】
Ｐｐ２  ＝Ｐｐ２Ｌ×α                            ・・・（１７）
ここで、αは媒体の特性によって定められた係数であり、リードインエリア５０の物理フォーマット情報等に記録された値である。
【００９４】
第九のステップ（ＳＴ００９）では時間ＴｓｆｐとＴｅｌｐの補償テーブルが再計算される。本ステップでは第六のステップと同様の方法で補償量の決定を行う。
【００９５】
第十のステップ（ＳＴ０１０）では最終的に決定されたライトストラテジを使用して記録されたランダム信号のエラーレートと、もしくはそれに相関を持った評価指標の測定を行う。この値が、規格値よりも良好であれば、上記ステップにて決定したライトストラテジをライトストラテジの最終決定値とする。もし、評価された値が規格値よりも悪い場合は以前のステップに戻ってライトストラテジの決定を再開する。又、対象とする光ディスクがランドアンドグルーブ記録方式の光ディスクであれば、同様の工程をランドとグルーブに対して行う。
【００９６】
本実施例に係るライトストラテジ決定方法は、いずれの段階でも評価指標として最密符号を含む信号のジッタを使用していない。従って、最密符号の信号振幅が小さく、スライス方式による２値化、ジッタ測定が行えないような高密度記録に対しても適応することが可能である。又、工程の途中で記録パワー及びパルス幅の両方を調整することにより信号のアシンメトリを低減している。この結果、ＰＲＭＬ識別方式など振幅方向の情報を利用するような識別方式に対して適応しても高い効果を得ることが出来る。
【００９７】
又、本願で定義された最密符号と、その次に密な符号のアシンメトリであるアシンメトリ２を用いることにより、より理想的な信号を記録することが出来る。特に、記録パワーを変化させるよりもパルス幅を変化させる方がより細かな調整が可能であるため、記録パワーをランダム信号全体のバランスをとるためのアシンメトリで評価、決定し、パルス幅をアシンメトリ２で決定することで、どのような媒体に対しても全体のバランスと、最密符号とその次の符号の信号のバランスを両立した調整を行うことが可能である。
【００９８】
又、２次高調波、エラーレートの評価によって中間パルスの幅である時間Ｔｅｍｐを調整する行程を設けたことで、比較的長い記録マークの前後非対称を取り除くことが可能である。この結果、ＰＲＭＬ識別方式など振幅方向の情報を利用するような識別方式に対して適応しても高い効果を得ることが出来る。
【００９９】
又、それぞれ様々な長さを有するマーク及びスペースの配列に応じた補償テーブルをステップＳＴ００６のように決定する前に、アシンメトリや、マークの前後非対称性を取り除いているため、補償テーブルの決定の際に、理想的でない結果に収束してしまうことや、発散してしまうことがなく、正常に補償テーブルを決定することが可能となる。すなわち、より短時間及び簡潔に最適なパルス形状を決定することが可能となる。
【０１００】
このようなことから、本ライトストラテジ決定方法を用いることで、高密度に記録を行う光ディスクに対しても、再生特性が良く、互換性の高い情報を記録することが可能となる。
【０１０１】
次に、ライトストラテジ決定方法の第二の実施例について説明を行う。図２４に本実施例のフローチャートを示す。本実施例では、第二及び第三のステップ（ＳＴ２０２、ＳＴ２０３）が第一の実施例における第二及び第三のステップ（ＳＴ００２、ＳＴ００３）とは異なっており、他のステップは同様である。
【０１０２】
第一のステップ（ＳＴ２０１）では、前述のステップＳＴ００１と同様に、記録パワーＰｐ、消去パワーＢｐ１、Ｂｐ２、Ｂｐ３、時間Ｔｓｆｐ、Ｔｅｆｐ、Ｔｓｍｐ、Ｔｅｍｐ、Ｔｓｌｐ、Ｔｅｌｐ、Ｔｌｃのすべてのパラメータに初期値（Ｐｐ０、Ｂｐ１０、Ｂｐ２０、Ｂｐ３０、Ｔｓｆｐ０、Ｔｅｆｐ０、Ｔｓｍｐ０、Ｔｅｍｐ０、Ｔｓｌｐ０、Ｔｅｌｐ０、Ｔｌｃ０）が設定される。更に、消去パワーＢｐ２１、Ｂｐ３１の値もしくは消去パワーＢｐ２１、Ｂｐ３１の関係式、Ｔｅｆｐ１、Ｔｓｌｐ１もしくはその関係式が決定される。
【０１０３】
第二のステップ（ＳＴ２０２）では記録パワーＰｐ１の値が決定される。この値は信号の振幅、Ｃ／Ｎもしくは変調度を基準として決定される。このとき、隣接トラックに信号の記録を行い、クロストーク、クロスイレースを考慮した記録パワーＰｐ１を決定することが出来る。
【０１０４】
第三ステップ（ＳＴ２０３）では消去パワーＢｐ１１の値が決定される。この値は信号のアシンメトリを指標としてアシンメトリの値が規格値以下になるように決定される。又、これと同様の効果を上げる指標として信号のエラーレートもしくは、推定ｂＥＲを利用してもよい。
【０１０５】
第四のステップ（ＳＴ２０４）では時間Ｔｓｆｐ１、Ｔｅｌｐ１、Ｔｌｃ１が決定される。この値は信号のアシンメトリを指標として、アシンメトリの値が規格値以下になるように決定される。
【０１０６】
第五のステップ（ＳＴ２０５）では時間Ｔｅｍｐ１が決定される。この値は信号の２次高調波を指標として、２次高調波が十分小さくなるように決定される。又、これと同様の効果を上げる指標として信号のエラーレートもしくは、推定ｂＥＲ、もしくは５Ｔ以上の符号のピュアトーン信号のアシンメトリを利用してもよい。
【０１０７】
第六のステップ（ＳＴ２０６）では記録する信号のパターンに適応的に対応したＴｓｆｐ１、Ｔｅｌｐ１の補償テーブルが決定される。
【０１０８】
第七のステップ（ＳＴ２０７）では消去パワーＢｐ１２の値が決定される。この値は信号のエラーレートもしくは、推定ｂＥＲを指標として決定される。
【０１０９】
第八のステップ（ＳＴ２０８）では記録パワーＰｐ２の値が決定される。この値は信号のエラーレートもしくは、推定ｂＥＲを指標として決定される。
【０１１０】
第九のステップでは再び記録する信号のパターンに適応的に対応したＴｓｆｐ１、Ｔｅｌｐ１の補償テーブルが更新される。
【０１１１】
第十のステップ（ＳＴ２１０）では最終評価指標による再生信号の評価が行われる。ここで、評価結果が規定値以下であれば、この時点の設定値を最終的なライトストラテジとする。又、評価結果が規定値を超えてしまっていれば、ステップをさかのぼって、ライトストラテジの設定を再開する。最終評価指標としては、信号のエラーレートもしくは、推定ｂＥＲが利用される。このようにして第二の実施例に係るライトストラテジ決定処理が完了する。
【０１１２】
前述した第一の実施例では、消去特性を主眼に消去パワーＢｐ１を決定し、アシンメトリを主眼に記録パワーＰｐを決定しているため、場合によっては信号の変調度（振幅）が理想的でない位置に収束する場合があった。媒体の特性によっては比較的、消去特性のマージンが広く変調度のマージンが狭い媒体も存在する。又、隣接したトラックに記録する信号のクロストーク、クロスイレースの影響から、信号の変調度が規定される場合がある。そのような場合には第二の実施例に示したように、先に記録パワーＰｐを調整することで信号の変調度を決定し、その後消去パワーＢｐ１を決定する。又、信号のアシンメトリは消去パワーＢｐ１と記録パワーＰｐの比に大きな影響を受けるので、記録パワーＰｐを固定し、消去パワーＢｐ１を変化させることで、アシンメトリを的確に低減することが可能となる。
【０１１３】
次にライトストラテジ決定方法の第三の実施例について説明を行う。図２５にライトストラテジ決定方法のフローチャートを示す。本実施例では、第二及び第三のステップ（ＳＴ３０２、ＳＴ３０３）が第一の実施例における第二及び第三のステップ（ＳＴ００２、ＳＴ００３）とは異なっており、他のステップは同様である。
【０１１４】
第一のステップ（ＳＴ３０１）では前述のステップＳＴ００１のように、記録パワーＰｐ、消去パワーＢｐ１、Ｂｐ２、Ｂｐ３、時間Ｔｓｆｐ、Ｔｅｆｐ、Ｔｓｍｐ、Ｔｅｍｐ、Ｔｓｌｐ、Ｔｅｌｐ、Ｔｌｃのすべてのパラメータに初期値（Ｐｐ０、Ｂｐ１０、Ｂｐ２０、Ｂｐ３０、Ｔｓｆｐ０、Ｔｅｆｐ０、Ｔｓｍｐ０、Ｔｅｍｐ０、Ｔｓｌｐ０、Ｔｅｌｐ０、Ｔｌｃ０）が設定される。更に、消去パワーＢｐ２１、Ｂｐ３１の値もしくは消去パワーＢｐ２１、Ｂｐ３１の関係式、Ｔｅｆｐ１、Ｔｓｌｐ１もしくはその関係式が決定される。
【０１１５】
第二ステップ（ＳＴ３０２）ではＰｐ／Ｂｐ１１の値が決定される。この値は信号のアシンメトリを指標としてアシンメトリの値が規格値以下になるように決定される。
【０１１６】
第三のステップ（ＳＴ３０３）では記録パワーＰｐ１の値が決定される。同時にＰｐ／Ｂｐ１１から消去パワーＢｐ１１の値が決定される。この値は信号の振幅、Ｃ／Ｎもしくは変調度および消去比を基準として決定される。これと同様の効果を上げる指標として信号のエラーレートもしくは、推定ｂＥＲを利用してもよい。このとき、隣接トラックに信号の記録を行い、クロストーク、クロスイレースを考慮した記録パワーＰｐ１を決定することが出来る。
【０１１７】
第四のステップ（ＳＴ３０４）では時間Ｔｓｆｐ１、Ｔｅｌｐ１、Ｔｌｃ１が決定される。この値は信号のアシンメトリを指標として、アシンメトリの値が規格値以下になるように決定される。
【０１１８】
第五のステップ（ＳＴ３０５）では時間Ｔｅｍｐ１が決定される。この値は信号の２次高調波を指標として、２次高調波が十分小さくなるように決定される。又、これと同様の効果を上げる指標として信号のエラーレートもしくは、推定ｂＥＲ、もしくは５Ｔ以上の符号のピュアトーン信号のアシンメトリを利用してもよい。
【０１１９】
第六のステップ（ＳＴ３０６）では記録する信号のパターンに適応的に対応したＴｓｆｐ１、Ｔｅｌｐ１の補償テーブルが決定される。
【０１２０】
第七のステップ（ＳＴ３０７）では消去パワーＢｐ１２の値が決定される。この値は信号のエラーレートもしくは、推定ｂＥＲを指標として決定される。
【０１２１】
第八のステップ（ＳＴ３０８）では記録パワーＰｐ２の値が決定される。この値は信号のエラーレートもしくは、推定ｂＥＲを指標として決定される。
【０１２２】
第九のステップ（ＳＴ３０９）では再び記録する信号のパターンに適応的に対応したＴｓｆｐ１、Ｔｅｌｐ１の補償テーブルが更新される。
【０１２３】
第十のステップ（ＳＴ３１０）では最終評価指標による再生信号の評価が行われる。ここで、評価結果が規定値以下であれば、この時点の設定値を最終的なライトストラテジとする。又、評価結果が規定値を超えてしまっていれば、ステップをさかのぼって、ライトストラテジの設定を再開する。最終評価指標としては、信号のエラーレートもしくは、推定ｂＥＲが利用される。このようにして第三の実施例に係るライトストラテジ決定処理が完了する。
【０１２４】
一般的な媒体では、信号のアシンメトリは消去パワーＢｐ１と記録パワーＰｐの比に大きな影響を受けるが、消去パワーＢｐ１と記録パワーＰｐの比が一定に保たれている場合、絶対値が変化してもあまりアシンメトリが変化しないという特徴がある。
【０１２５】
第一の実施例では、消去特性により消去パワーＢｐ１を決定した後、アシンメトリによって記録パワーＰｐを決定している。このため、場合によっては記録パワーＰｐが比較的大きな値になり、記録するマークが大きくなってしまい、先に決定した消去パワーＢｐ１では消去特性が悪くなってしまうという可能性がある。これに対し、第三の実施例では、先に消去パワーＢｐ１と記録パワーＰｐの比を決定し、その後比を保ったまま絶対値を変化させていくことで、変調度や消去比、クロストーク、クロスイレースの最もバランスの取れたライトストラテジを決定することが出来る。
【０１２６】
又、信号のアシンメトリは第一のレベルと第二のレベルの比に大きく依存し、又、消去特性は消去パワーに、変調度は記録パワーに、単一周波数信号のジッタは両方のパワーに依存することが分かっている。
【０１２７】
アシンメトリを最適化するために消去パワーと記録パワーの比を調整し、消去特性、もしくは変調度、もしくは単一周波数信号のジッタを最適化するように、第一のレベルと第二のレベルの絶対値を決定することで、より短時間に精度良く最適なパルスのレベルを決定することが出来る。
【図面の簡単な説明】
【０１２８】
【図１】レーザー光の記録波形及び情報がマークとして記録されたトラックを示す模式図。
【図２】情報を示すＮＲＺＩ信号波形と記録波形の対応関係を示すライトストラテジを説明するための図。
【図３】ライトストラテジを利用して記録したユーザーデータの再生信号波形すなわちアイパターンを示す図。
【図４】本発明に係る光ディスク装置の一実施例を示す図。
【図５】消去パワーＢｐ１を変化させた場合のアシンメトリ１、アシンメトリ２と、再生信号のエラーレート（ｂＥＲ）測定結果を示す図。
【図６】時間Ｔｓｆｐを変化させた場合のアシンメトリ１、アシンメトリ２と再生信号のエラーレート測定結果を示す図。
【図７】時間Ｔｅｍｐを変化させた場合の２次高調波と、記録再生信号のエラーレートの測定の結果を示す図。
【図８】第一の実施例に係るライトストラテジ決定方法を示すフローチャート。
【図９】第一の消去パワーＢｐ１１決定方法を示すフローチャート。
【図１０】消去パワーＢｐ１とｎＴＯ．Ｗ．ｍＴ消去比を関係を示す図。
【図１１】第二の消去パワーＢｐ１１決定方法を説明するための図。
【図１２】第三の消去パワーＢｐ１１決定方法を説明するための図。
【図１３】アシンメトリを測定するための他の方法を示す図。
【図１４】アシンメトリを測定する他の方法を示す図。
【図１５】アシンメトリを測定する他の方法を示す図。
【図１６】記録パワーＰｐの設定値と評価指標（アシンメトリ１，Ｓ，ΔＶ）の変化の状態を示す図。
【図１７】アシンメトリを測定する他の方法を示す図。
【図１８】時間Ｔｓｆｐ、Ｔｅｌｐ、Ｔｌｃの設定値と評価指標の変化の状態を示す図。
【図１９】２次高調波を測定する他の方法を示す図。
【図２０】時間Ｔｅｍｐ１の設定値と評価指標の変化の状態を示す図。
【図２１】直前のスペースもしくは直後のスペースに対応して記録するマークの時間Ｔｓｆｐ、Ｔｅｌｐの値を設定するための補償テーブルを示す図。
【図２２】消去パワーＢｐ１と評価指標（エラーレート、推定ｂＥＲ）の関係を示す図。
【図２３】記録パワーＰｐと評価指標（エラーレート、推定ｂＥＲ）の関係を示す図。
【図２４】ライトストラテジ決定方法の第二の実施例を示すフローチャート。
【図２５】ライトストラテジ決定方法の第三の実施例を示すフローチャート。
【図２６】光ディスクの構成を簡単に示す図。
【図１】
2005251391.tif 000003
【図２】
2005251391.tif 000004
【図３】
2005251391.tif 000005
【図４】
2005251391.tif 000006
【図５】
2005251391.tif 000007
【図６】
2005251391.tif 000008
【図７】
2005251391.tif 000009
【図８】
2005251391.tif 000010
【図９】
2005251391.tif 000011
【図１０】
2005251391.tif 000012
【図１１】
2005251391.tif 000013
【図１２】
2005251391.tif 000014
【図１３】
2005251391.tif 000015
【図１４】
2005251391.tif 000016
【図１５】
2005251391.tif 000017
【図１６】
2005251391.tif 000018
【図１７】
2005251391.tif 000019
【図１８】
2005251391.tif 000020
【図１９】
2005251391.tif 000021
【図２０】
2005251391.tif 000022
【図２１】
2005251391.tif 000023
【図２２】
2005251391.tif 000024
【図２３】
2005251391.tif 000025
【図２４】
2005251391.tif 000026
【図２５】
2005251391.tif 000027
【図２６】
2005251391.tif 000028